(57)【要約】【課題】従来の車両用灯具では、光源の交換作業が煩雑であり、また、ランプがフロントバンパから外れる虞がある。【解決手段】この発明は、リアバンパーＢの取付孔Ｄの縁に固定される第１ブラケット２および第２ブラケット３と、第１ブラケット２に着脱可能に取り付けられているランプユニット４およびカバー５と、ランプユニット４およびカバー５を第１ブラケット２にリアバンパーＢの表側から裏側に着脱可能に取り付けるスクリュー６およびスプリング７と、を備えるものである。この結果、この発明は、ランプユニット４の光源２３の交換が簡単であり、ランプユニット４がリアバンパーＢに確実に取り付けることができる。【選択図】        図１
2010228504.tif 000002
【特許請求の範囲】
【請求項１】
車体に着脱可能に取り付けられる車両用灯具において、
前記車体の取付孔の縁に固定されるブラケットと、
前記ブラケットに着脱可能に取り付けられているランプユニットおよびカバーと、
前記ランプユニットおよび前記カバーを前記ブラケットに前記車体の表側から裏側に着脱可能に取り付けるランプユニット用取付部材としてのスクリューおよびカバー用取付部材と、
を備え、
前記ブラケットは、前記車体の取付孔の縁に固定される固定部と、前記ランプユニットが前記スクリューにより着脱可能に取り付けられているランプユニット用取付部と、前記カバー用取付部材が設けられていて、前記カバー用取付部材により前記カバーが着脱可能に取り付けられているカバー用取付部と、を有し、
前記ランプユニットは、灯室を区画するランプハウジングおよびランプレンズと、前記ランプハウジングに着脱可能に取り付けられているソケットと、前記ソケットに着脱可能に取り付けられていて前記灯室内に配置されている光源と、前記スクリューにより前記ブラケットの前記ランプユニット用取付部に着脱可能に取り付けられている取付部と、を有し、
前記カバーには、前記カバー用取付部材により前記ブラケットの前記カバー用取付部に着脱可能に取り付けられている取付部が設けられていて、前記カバーは、前記スクリューおよび前記カバー用取付部材と、前記ブラケットの前記ランプユニット用取付部および前記カバー用取付部と、前記ランプユニットの前記取付部および前記カバーの前記取付部と、を覆う形状をなし、前記カバーのうち前記ランプユニットの前記ランプレンズに対応する部分には、開口部が設けられている、
ことを特徴とする車両用灯具。
【請求項２】
前記ブラケットは、前記車体の剛性よりも高い剛性を有する部材からなり、
前記ブラケットは、第１ブラケットと第２ブラケットとの２分割構造をなし、
前記第１ブラケットと前記第２ブラケットとは、ブラケット固定部材としてのスクリューにより相互に固定されていて、
前記第１ブラケットと前記第２ブラケットとには、前記車体の取付孔の縁を表側と裏側とから挟み込んで前記車体の取付孔の縁に固定される前記固定部がそれぞれ設けられている、
ことを特徴とする請求項１に記載の車両用灯具。
【発明の詳細な説明】
【技術分野】
【０００１】
この発明は、車体に着脱可能に取り付けられる車両用灯具に関するものである。詳しくは、この発明は、たとえばバンパーなどの車体に着脱可能に取り付けられるたとえばリアフォグランプやフロントフォグランプなどの車両用灯具に関するものである。
【背景技術】
【０００２】
この種の車両用灯具は、従来からある（たとえば、特許文献１、特許文献２）。以下、従来の車両用灯具について説明する。前者の従来の車両用灯具は、バンパーにブラケットをボルトおよびナットにより固定するとともに、ブラケットの一部をバンパーの貫通孔にバンパーの表側から裏側に貫通させ、そのブラケットの一部にフォグランプをボルトおよびナットによりバンパーの裏側において着脱可能に取り付けるものである。前者の従来の車両用灯具は、ボルトおよびナットがバンパーの裏側に位置し、かつ、バンパーの貫通孔やブラケットがフォグランプで覆い隠されるので、見栄えが向上される。また、後者の従来の車両用灯具は、フロントバンパの貫通孔の縁に環状のブラケットを固定し、ランプのランプハウジングをフロントバンパの貫通孔およびブラケット中にフロントバンパの表側から裏側に貫通させ、ランプのランプハウジングに取り付けられている板ばねをブラケットの縁に押圧させ、かつ、ランプのランプハウジングの凹所をブラケットの切り込みに係止させることにより、ランプをフロントバンパにフロントバンパの表側において着脱可能に取り付けるものである。
【０００３】
ところが、前者の従来の車両用灯具は、フォグランプの光源を交換する場合、バンパーの裏側においてボルトおよびナットを工具を使用して外して、フォグランプをバンパーから取り外す必要がある。このために、前者の従来の車両用灯具は、バンパーの裏側において工具を使用してボルトおよびナットを取り外すスペースが無い場合には、バンパーを車両から取り外す必要があり、光源の交換作業が煩雑である。また、後者の従来の車両用灯具は、板ばねのばね力で、ランプをフロントバンパにフロントバンパの表側において着脱可能に取り付けるものであるから、ランプの光源の交換作業が簡単である。ところが、後者の従来の車両用灯具は、板ばねのばね力で、ランプをフロントバンパに着脱可能に取り付けるものであるから、車両の振動などにより、板ばねが撓んで、ランプがフロントバンパから外れる虞がある。
【先行技術文献】
【特許文献】
【０００４】
【特許文献１】特開平１０−１３８８２８号公報
【特許文献２】特開平１０−２２３００４号公報
【発明の概要】
【発明が解決しようとする課題】
【０００５】
この発明が解決しようとする問題点は、従来の車両用灯具では、光源の交換作業が煩雑であり、また、ランプがフロントバンパから外れる虞があるという点にある。
【課題を解決するための手段】
【０００６】
この発明（請求項１にかかる発明）は、車体の取付孔の縁に固定されるブラケットと、ブラケットに着脱可能に取り付けられているランプユニットおよびカバーと、ランプユニットおよびカバーをブラケットに車体の表側から裏側に着脱可能に取り付けるスクリューおよびカバー用取付部材と、を備え、ブラケットが、車体の取付孔の縁に固定される固定部と、ランプユニットがスクリューにより着脱可能に取り付けられているランプユニット用取付部と、カバー用取付部材が設けられていてそのカバー用取付部材によりカバーが着脱可能に取り付けられているカバー用取付部と、を有し、ランプユニットが、灯室を区画するランプハウジングおよびランプレンズと、ランプハウジングに着脱可能に取り付けられているソケットと、ソケットに着脱可能に取り付けられていて灯室内に配置されている光源と、スクリューによりブラケットのランプユニット用取付部に着脱可能に取り付けられている取付部と、を有し、カバーには、カバー用取付部材によりブラケットのカバー用取付部に着脱可能に取り付けられている取付部が設けられていて、カバーが、スクリューおよびカバー用取付部材と、ブラケットのランプユニット用取付部およびカバー用取付部と、ランプユニットの取付部およびカバーの取付部と、を覆う形状をなし、カバーのうちランプユニットのランプレンズに対応する部分には、開口部が設けられている、ことを特徴とする。
【０００７】
また、この発明（請求項２にかかる発明）は、ブラケットが車体の剛性よりも高い剛性を有する部材からなり、ブラケットが第１ブラケットと第２ブラケットとの２分割構造をなし、第１ブラケットと第２ブラケットとがブラケット固定部材としてのスクリューにより相互に固定されていて、第１ブラケットと第２ブラケットとには、車体の取付孔の縁を表側と裏側とから挟み込んで車体の取付孔の縁に固定される固定部がそれぞれ設けられている、ことを特徴とする。
【発明の効果】
【０００８】
この発明（請求項１にかかる発明）の車両用灯具は、車体の表側において、カバーの取付部をブラケットのカバー用取付部のカバー用取付部材から取り外してカバーを車体から取り外し、かつ、スクリューをランプユニットの取付部およびブラケットのランプユニット用取付部から取り外してランプユニットの取付部をブラケットのランプユニット用取付部から取り外してランプユニットを車体から取り外すことにより、ランプユニットの光源を交換することができる。また、この発明（請求項１にかかる発明）の車両用灯具は、ランプユニットの光源の交換後、車体の表側において、ランプユニットの取付部をブラケットのランプユニット用取付部に位置させてスクリューをランプユニットの取付部およびブラケットのランプユニット用取付部に取り付けてランプユニットを車体に取り付け、かつ、カバーの取付部をブラケットのカバー用取付部のカバー用取付部材に取り付けてカバーを車体に取り付けることができる。このように、この発明（請求項１にかかる発明）の車両用灯具は、車体の裏側においてスペースが無い場合であっても、ランプユニットの光源を簡単に交換することができる。
【０００９】
しかも、この発明（請求項１にかかる発明）の車両用灯具は、スクリューおよびカバー用取付部材と、ブラケットのランプユニット用取付部およびカバー用取付部と、ランプユニットの取付部およびカバーの取付部と、がカバーにより覆われるので、見栄えが向上される。
【００１０】
また、この発明（請求項２にかかる発明）の車両用灯具は、車体の剛性よりも高い剛性を有する部材からなりかつ２分割構造をなす第１ブラケットと第２ブラケットとをブラケット固定部材としてのスクリューで相互に固定し、この第１ブラケットの固定部と第２ブラケットの固定部とで車体の取付孔の縁をほぼ全周に亘って表側と裏側とから挟み込んで、車体の取付孔の縁にほぼ全周に亘って第１ブラケットの固定部と第２ブラケットの固定部とをそれぞれ固定するものである。このために、この発明（請求項２にかかる発明）の車両用灯具は、車体が第１ブラケットおよび第２ブラケットの剛性よりも低い剛性の部材からなるものであっても、第１ブラケットおよび第２ブラケットを車体の取付孔の縁に確実に固定することができる。これにより、この発明（請求項２にかかる発明）の車両用灯具は、ランプユニットおよびカバーを第１ブラケットおよび第２ブラケットに取り付けることにより、ランプユニットおよびカバーを第１ブラケットおよび第２ブラケットを介して車体に確実に取り付けることができる。
【００１１】
しかも、この発明（請求項２にかかる発明）の車両用灯具は、第１ブラケットおよび第２ブラケット側に固定部およびランプユニット用取付部およびカバー用取付部およびブラケット固定部材としてのスクリューをねじ込む部分などの構造物を設けるものであるから、車体側に前記の構造物を設ける必要が無く、車体の構造を複雑化することが無く、その分、車体の製造コストを安価にすることができる。
【図面の簡単な説明】
【００１２】
【図１】この発明にかかる車両用灯具の実施例を示し、ランプユニットおよびカバーがバンパーに着脱可能に取り付けられている状態の横断面図（水平断面図）である。
【図２】同じく、ランプユニットおよびカバーがバンパーから取り外された状態を示す横断面図（水平断面図）である。
【図３】同じく、ランプユニットおよびカバーがバンパーに着脱可能に取り付けられている状態を示す縦断面図（垂直断面図）である。
【図４】同じく、ランプユニットおよびカバーがバンパーから取り外された状態を示す縦断面図（垂直断面図）である。
【図５】同じく、カバーの取付部がカバー用取付部材によりブラケットのカバー用取付部に着脱可能に取り付けられている状態を示す一部拡大縦断面図（一部拡大垂直断面図）である。
【図６】同じく、使用状態を示す車両（自動車）の後部の一部斜視図である。
【発明を実施するための最良の形態】
【００１３】
以下に、この発明にかかる車両用灯具の実施例を図面に基づいて詳細に説明する。なお、この実施例によりこの発明が限定されるものではない。
【実施例】
【００１４】
以下、この実施例における車両用灯具の構成について説明する。図１において、符号１は、この実施例における車両用灯具であって、この例ではリアフォグランプである。前記車両用灯具１は、車両（自動車）Ｃの後部の車体、この例ではリアバンパーＢの左右両側に着脱可能に取り付けられている。前記リアバンパーＢは、車両Ｃの後部の車体パネルＡに固定部材（図示せず）により固定されている。前記リアバンパーＢの左右両側には、取付孔Ｄがそれぞれ設けられている。
【００１５】
前記車両用灯具１は、２分割構造の第１ブラケット２および第２ブラケット３と、ランプユニット４と、カバー５と、ランプユニット用取付部材としての複数本のスクリュー６と、カバー用取付部材としての複数個のスプリング７と、を備えるものである。
【００１６】
前記第１ブラケット２は、前記リアバンパーＢの剛性よりも高い剛性を有する部材からなる。前記第１ブラケット２は、表側（前記車体パネルＡ側と反対側）が開口し、かつ、その他が閉塞した形状をなす。前記第１ブラケット２の開口部の縁には、前記リアバンパーの前記取付孔Ｄの表側の縁に当接して固定される固定部８が一体に設けられている。前記第１ブラケット２の閉塞部には、透孔９が設けられている。
【００１７】
前記第１ブラケット２の前記透孔９の縁には、ボス形状の複数個のランプユニット用取付部１０が裏側（前記車体パネルＡ側）に一体に設けられている。また、前記第１ブラケット２の開口部の縁には、中空のブロック形状の複数個のカバー用取付部１１が一体に設けられている。さらに、前記第１ブラケット２の開口部の縁には、ボス形状の複数個の第２ブラケット用固定部１２が裏側に一体に設けられている。
【００１８】
前記第２ブラケット３は、前記第１ブラケット２と同様に前記リアバンパーＢの剛性よりも高い剛性を有する部材からなる。前記第２ブラケット３は、前記第１ブラケット２とほぼ同様に、表側が開口し、かつ、その他が閉塞した形状をなす。前記第２ブラケット３の開口部の縁には、前記リアバンパーの前記取付孔Ｄの表側の縁に当接して固定される固定部１３が一体に設けられている。前記第２ブラケット３の閉塞部には、透孔１４が設けられている。前記第２ブラケット３の前記透孔１４の縁のうち前記第１ブラケット２の前記複数個の第２ブラケット用取付部１２に対応する箇所には、複数個の小円形の孔１５がそれぞれ設けられている。
【００１９】
以下、前記第１ブラケット２および前記第２ブラケット３を前記車両Ｃの前記リアバンパーＢに固定する作業工程について説明する。前記第１ブラケット２を前記リアバンパーＢの表側に、かつ、前記第２ブラケット３を前記リアバンパーＢの裏側に、それぞれ位置させる。前記第１ブラケット２の閉塞部を前記リアバンパーＢの前記取付孔Ｄおよび前記第２ブラケット３の前記透孔１４中に前記リアバンパーＢの表側から裏側に挿入して、前記第１ブラケット２の前記固定部８を前記リアバンパーＢの前記取付孔Ｄの表側の縁に当接させる。一方、前記第２ブラケット３の前記固定部１３を前記リアバンパーＢの前記取付孔Ｄの裏側の縁に当接させる。この状態で、ブラケット固定部材としての複数本のスクリュー１６を前記第２ブラケット３の前記複数個の小円形の孔１５の中に通して前記第１ブラケット２の前記複数個の第２ブラケット用固定部１２にそれぞれねじ込む（図３および図４参照）。これにより、２分割構造の前記第１ブラケット２と前記第２ブラケット３とが一体となる。また、一体となった前記第１ブラケット２の前記固定部８と前記第２ブラケット３の前記固定部１３とが前記リアバンパーＢの前記取付孔Ｄの縁を表側と裏側とから挟み込んで前記リアバンパーＢの前記取付孔Ｄの縁にそれぞれ固定されている。
【００２０】
前記ランプユニット４は、灯室１７を区画するランプハウジング１８およびランプレンズ１９を有する。前記ランプハウジング１８は、光不透過性の部材からなり、一面側が開口し、かつ、その他側が閉塞した形状をなす。一方、前記ランプレンズ１９は、光透過性の部材からなり、一面側が開口し、かつ、その他が閉塞した形状をなす。前記ランプハウジング１８の開口部の縁部と前記ランプレンズ１９の開口部の縁部とがたとえば超音波溶着などにより固定されている。この結果、前記ランプハウジング１８および前記ランプレンズ１９により、前記灯室１７が区画されている。
【００２１】
前記ランプハウジング１８の側部には、挿入取付孔２０が設けられている。前記挿入取付孔２０の縁には、ソケット２１が防水用のパッキン２２を介して着脱可能に取り付けられている。前記ソケット２１には、ウエッジベースバルブタイプの光源２３が着脱可能に取り付けられている。前記光源２３は、前記挿入取付孔２０から前記灯室１７内に挿入されて配置されている。前記灯室１７内には、前記光源２３からの光を所定の配光パターンで前記ランプレンズ１９側に反射させるリフレクタ２４が配置されている。前記リフレクタ２４には、前記光源２３が挿入される挿入孔２５が設けられている。
【００２２】
前記ランプハウジング１８および前記ランプレンズ１９の固定縁部の近傍には、ボス形状の複数個の取付部２６がそれぞれ前記第１ブラケット２の前記複数個のランプユニット用取付部１０に対応して一体に設けられている。
【００２３】
以下、前記ランプユニット４を前記第１ブラケット２に着脱可能に取り付ける作業工程について説明する。前記ランプユニット４の前記ランプハウジング１８を前記第１ブラケット２の前記透孔９中に前記リアバンパーＢの表側から裏側に挿入する。前記ランプユニット４の前記複数個の取付部２６と前記第１ブラケット２の前記複数個のランプユニット用取付部１０とを合わせる。前記複数個の取付部２６および前記複数個のランプユニット用取付部１０に前記複数本のスクリュー６をそれぞれねじ込む。これにより、前記ランプユニット４が前記第１ブラケット２に着脱可能に取り付けられている。
【００２４】
前記カバー５は、前記第１ブラケット２および前記第２ブラケット３の剛性よりも低い剛性の部材からなるものである。前記カバー５は、正面視ほぼ長方形形状をなす。前記カバー５の中央部には、前記カバー５よりも一回り小さい正面視ほぼ長方形形状をなす開口部２７が設けられている。
【００２５】
前記カバー５の外周縁は、正面側から背面側に折り曲がっている。前記カバー５の外周縁には、パッキン２８が設けられている。前記パッキン２８は、光漏れや前記リアバンパーＢの傷つきなどを防止するためのものである。前記カバー５の左右両端部は、ほぼ平板形状をなす。また、前記カバー５の上下両端部は、背面側から正面側に突出した湾曲形状をなす。
【００２６】
前記カバー５の左右両端部の背面側には、板形状の複数個の取付部２９がそれぞれ前記第１ブラケット２の前記複数個のカバー用取付部１１に対応して一体に設けられている。前記複数個の取付部２９と前記カバー５との付け根部が肉薄形状をなしていて、前記複数個の取付部２９が撓み易いように構成されている。前記複数個の取付部２９には、係止部３０がそれぞれ一体に設けられている。
【００２７】
前記カバー５は、前記複数本のスクリュー６および前記複数個のスプリング７と、前記第１ブラケット２の前記複数個のランプユニット用取付部１０および前記複数個のカバー用取付部１１および前記複数個の第２ブラケット用固定部１２と、前記ランプユニット４の前記複数個の取付部２６および前記カバー５の前記複数個の取付部２９および前記複数個の係止部３０と、を覆う形状をなすものである。
【００２８】
前記スプリング７は、図５に示すように、ほぼ中央部をＵ字形状に湾曲した形状をなす。前記スプリング７の一端部には、くの字形状に折り曲げられた係止部３１が設けられている。また、前記スプリング７の他端部には、一部を切り起こして固定部３２が設けられている。前記複数個のスプリング７の前記固定部３２が前記第１ブラケット２の前記複数個のカバー用取付部１１にそれぞれ固定されている。なお、前記第１ブラケット２の前記複数個のカバー用取付部１１および前記第２ブラケット３の前記透孔１４の縁には、前記複数個のスプリング７および前記カバー５の前記複数個の取付部２９が収容される収容孔３３および３４がそれぞれ設けられている。また、前記第１ブラケット２の前記複数個のカバー用取付部１１には、前記複数個のスプリング７の中央部の湾曲部が倒れ込むのを防ぐリブ３５がそれぞれ一体に設けられている。
【００２９】
以下、前記カバー５を前記第１ブラケット２に着脱可能に取り付ける作業工程について説明する。前記カバー５の前記複数個の取付部２９を前記第１ブラケット２の前記複数個のカバー用取付部１１の収容孔３３中に前記リアバンパーＢの表側から裏側に挿入する。すると、前記カバー５の前記複数個の取付部２９の係止部３０と前記複数個のスプリング７の係止部３１とが相互に弾性係止する。これにより、前記カバー５が前記第１ブラケット２に着脱可能に取り付けられている。
【００３０】
このようにして、前記車両１は、前記リアバンパーＢに着脱可能に取り付けられることとなる。前記ランプユニット４の前記ランプレンズ１９は、前記カバー５の前記開口部２７に位置する。また、前記複数本のスクリュー６および前記複数個のスプリング７と、前記第１ブラケット２の前記複数個のランプユニット用取付部１０および前記複数個のカバー用取付部１１および前記複数個の第２ブラケット用固定部１２と、前記ランプユニット４の前記複数個の取付部２６および前記カバー５の前記複数個の取付部２９および前記複数個の係止部３０とは、前記カバー５により覆い隠されている。
【００３１】
この実施例における車両用灯具１は、以上のごとき構成からなり、以下、その作用について説明する。
【００３２】
まず、ランプユニット４の光源２３を点灯させる。すると、光源２３から光が放射される。この光は、リフレクタ２４で反射されて、所定の配光パターンで所定の方向にランプレンズ１９を透過して外部に照射される。
【００３３】
つぎに、ランプユニット４の光源２３を交換する場合は、まず、リアバンパーＢの表側において、手もしくは工具を使用してカバー５の取付部２９を撓ませてカバー５の取付部２９の係止部３０とスプリング７の係止部３１との弾性係止状態を解除させる。このとき、第１ブラケット２のリブ３５により、スプリング７が倒れ込むのを防ぐことができるので、カバー５の取付部２９の係止部３０とスプリング７の係止部３１との弾性係止状態を簡単に解除させる。カバー５の取付部２９の係止部３０とスプリング７の係止部３１との弾性係止状態を解除させた状態で、カバー５の取付部２９を第１ブラケット２のカバー用取付部１１の収容孔３３からリアバンパーＢの表側に取り外す。
【００３４】
つづいて、リアバンパーＢの表側において、工具を使用してスクリュー６をランプユニット４の取付部２６と第１ブラケット２のランプユニット用取付部１０とからリアバンパーＢの表側に取り外す。この状態において、ランプユニット４のランプハウジング１８を第１ユニット２の透孔９からリアバンパーＢの表側に取り外す。
【００３５】
それから、ランプユニット４において、ソケット２１をランプハウジング１８から取り外すとともに、光源２３をリフレクタ２４の挿入孔２５およびランプハウジング１８の挿入取付孔２０からランプハウジング１８の外側に取り出す。ここで、光源２３をソケット２１から取り外して、新たな光源２３をソケット２１に着脱可能に取り付ける。
【００３６】
新たな光源２３をランプハウジング１８の挿入取付孔２０およびリフレクタ２４の挿入孔２５から灯室１７内に挿入して、ソケット２１をランプハウジング１８に着脱可能に取り付ける。これにより、新たな光源２３が灯室１７内に配置されることとなる。
【００３７】
つぎに、新たな光源２３に交換したランプユニット４のランプハウジング１８を第１ブラケット２の透孔９中にリアバンパーＢの表側から裏側に挿入する。ランプユニット４の取付部２６と第１ブラケット２のランプユニット用取付部１０とを合わせる。取付部２６およびランプユニット用取付部１０にスクリュー６をねじ込む。これにより、ランプユニット４が第１ブラケット２に着脱可能に取り付けられることとなる。
【００３８】
それから、カバー５の取付部２９を第１ブラケット２のカバー用取付部１１の収容孔３３中にリアバンパーＢの表側から裏側に挿入する。すると、カバー５の取付部２９の係止部３０とスプリング７の係止部３１とが相互に弾性係止する。これにより、カバー５が第１ブラケット２に着脱可能に取り付けられることとなる。このようにして、リアバンパーＢを車体パネルＡから取り外すことなく簡単にランプユニット４の光源２３を交換することができる。
【００３９】
この実施例における車両用灯具１は、以上のごとき構成および作用からなり、以下、その効果について説明する。
【００４０】
この実施例における車両用灯具１は、リアバンパーＢの表側において、カバー５の取付部２９を第１ブラケット２のカバー用取付部１１のスプリング７から取り外してカバー５をリアバンパーＢから取り外し、かつ、スクリュー６をランプユニット４の取付部２６および第１ブラケット２のランプユニット用取付部１０から取り外してランプユニット４の取付部２６を第１ブラケット２のランプユニット用取付部１０から取り外してランプユニット４をリアバンパーＢから取り外すことにより、ランプユニット４の光源２３を交換することができる。また、この実施例における車両用灯具１は、ランプユニット４の光源２３の交換後、リアバンパーＢの表側において、ランプユニット４の取付部２６を第１ブラケット２のランプユニット用取付部１０に位置させてスクリュー６をランプユニット４の取付部２６および第１ブラケット２のランプユニット用取付部１０にねじ込んでランプユニット４をリアバンパーＢに取り付け、かつ、カバー５の取付部２９を第１ブラケット２のカバー用取付部１１のスプリング７に取り付けてカバー５をリアバンパーＢに取り付けることができる。このように、この実施例における車両用灯具１は、リアバンパーＢの裏側においてスペースが無い場合であっても、ランプユニット４の光源２３を簡単に交換することができる。
【００４１】
しかも、この実施例における車両用灯具１は、スクリュー６およびスプリング７と、第１ブラケット２のランプユニット用取付部１０およびカバー用取付部１１および第２ブラケット用固定部１２と、ランプユニット４の取付部２６およびカバー５の取付部２９と、がカバー５により覆われるので、見栄えが向上される。
【００４２】
また、この実施例における車両用灯具１は、リアバンパーＢの剛性よりも高い剛性を有する部材からなりかつ２分割構造をなす第１ブラケット２と第２ブラケット３とをブラケット固定部材としてのスクリュー１６で相互に固定し、この第１ブラケット２の固定部８と第２ブラケット３の固定部１３とでリアバンパーＢの取付孔Ｄの縁をほぼ全周に亘って表側と裏側とから挟み込んで、リアバンパーＢの取付孔Ｄの縁にほぼ全周に亘って第１ブラケット２の固定部８と第２ブラケット３の固定部１３とをそれぞれ固定するものである。このために、この実施例における車両用灯具１は、リアバンパーＢが第１ブラケット２および第２ブラケット３の剛性よりも低い剛性の部材からなるものであっても、第１ブラケット２および第２ブラケット３をリアバンパーＢの取付孔Ｄの縁に確実に固定することができる。これにより、この実施例における車両用灯具１は、ランプユニット４およびカバー５を第１ブラケット２および第２ブラケット３に取り付けることにより、ランプユニット４およびカバー５を第１ブラケット２および第２ブラケット３を介してリアバンパーＢに確実に取り付けることができる。
【００４３】
しかも、この実施例における車両用灯具１は、第１ブラケット２および第２ブラケット３側に固定部８および１３およびランプユニット用取付部１０およびカバー用取付部１１およびブラケット固定部材としてのスクリュー１６をねじ込む部分の第２ブラケット用固定部１２などの構造物を設けるものであるから、リアバンパーＢ側に前記の構造物を設ける必要が無く、リアバンパーＢの構造を複雑化することが無く、その分、リアバンパーＢの製造コストを安価にすることができる。
【００４４】
なお、前記の実施例においては、車両用灯具としてリアフォグランプについて説明する。ところが、この発明においては、リアフォグランプ以外の車両用灯具、たとえば、フロントフォグランプ、デイタイムランニングランプなどの車両用灯具にも適用することができる。
【００４５】
また、前記の実施例においては、車体としてリアバンパーＢについて説明するものである。ところが、この発明においては、リアバンパーＢ以外の車体、たとえば、フロントバンパーや車体パネルなどの車体にも適用することができる。
【符号の説明】
【００４６】
Ａ  車体パネル
Ｂ  リアバンパー
Ｃ  車両（自動車）
Ｄ  取付孔
１  車両用灯具
２  第１ブラケット
３  第２ブラケット
４  ランプユニット
５  カバー
６  スクリュー（ランプユニット用取付部材）
７  スプリング（カバー用取付部材）
８  固定部
９  透孔
１０  ランプユニット用取付部
１１  カバー用取付部
１２  第２ブラケット用固定部
１３  固定部
１４  透孔
１５  小円形の孔
１６  スクリュー（ブラケット固定部材）
１７  灯室
１８  ランプハウジング
１９  ランプレンズ
２０  挿入取付孔
２１  ソケット
２２  パッキン
２３  光源
２４  リフレクタ
２５  挿入孔
２６  取付部
２７  開口部
２８  パッキン
２９  取付部
３０  係止部
３１  係止部
３２  固定部
３３  収容孔
３４  収容孔
３５  リブ
【図１】
2010228504.tif 000003
【図２】
2010228504.tif 000004
【図３】
2010228504.tif 000005
【図４】
2010228504.tif 000006
【図５】
2010228504.tif 000007
【図６】
2010228504.tif 000008